(57)【要約】【課題】光ケーブルホルダはドロップ光ケーブルの接続作業には好適であるが、幹線側の光ファイバ心線の端末処理を実施しようとすると、光ケーブルホルダには中心軸上に光ファイバ心線よりも太い光ケーブルをセットするための光ケーブル収納部が形成されているため、光ファイバ心線のみの把持力が弱く、心線被覆を除去する際に心線被覆をうまく剥けないとなどの課題があった。【解決手段】光ケーブルホルダの光ケーブル収納部に、下記構成部品の棒状体が嵌め込まれる光ファイバ心線ホルダであって、前記棒状体は光ケーブル収納部に嵌め込まれる太さに形成され、この棒状体上には光ファイバ心線を載置する基台が配置され、この基台の表面にはこの基台の表面を覆う押蓋が配置されていることを特徴とする。これにより従来の課題を解決することができる。【選択図】  図１
2007121772.tif 000002
【特許請求の範囲】
【請求項１】
表面に光ファイバ心線載置部と光ケーブル収納部とが直線状に配置された基盤と、この光ファイバ心線載置部及び光ケーブル収納部を覆う押蓋とからなる光ケーブルホルダの前記光ケーブル収納部に、下記構成部品の棒状体が嵌め込まれる光ファイバ心線ホルダであって、前記棒状体は光ケーブル収納部に嵌め込まれる太さに形成され、この棒状体上には光ファイバ心線を載置する基台が配置され、この基台の表面にはこの基台の表面を覆う押蓋が配置されていることを特徴とする光ファイバ心線ホルダ。
【請求項２】
前記押蓋と基台とが棒状体の後端部のみに配置されたことを特徴とする請求項１に記載の光ファイバ心線ホルダ。
【請求項３】
基台の表面に光ファイバ心線を配置する溝が形成され、この溝の形状が凹形状であり、溝の幅が０．５ｍｍ以上、且つ溝の深さが０．１５ｍｍ〜０．２ｍｍ、且つ押蓋の裏面に光ファイバ心線を押さえ込むためのゴム材が配置され、このゴム材の硬度がＨＳ５０以上であることを特徴とする請求項１もしくは請求項２に記載の光ファイバ心線ホルダ。
【発明の詳細な説明】
【技術分野】
【０００１】
本発明は、光ファイバ心線の端部を把持して、その光ファイバ心線の被覆層を除去してその中の裸光ファイバを露出させたり、その裸光ファイバを一定長に切断したりする等に用いられる光ファイバ心線ホルダに関する。
【背景技術】
【０００２】
近年、光加入者線路網の構築が急速に進んでいる。一般に、幹線光ケーブルから各家庭などの宅内に引き込むための引き込み用光ケーブルとして図９に示すようなドロップ光ケーブル７が使用されている。
【０００３】
この光ケーブル７は１本の光ファイバ心線又は複数本の光ファイバ心線を寄せ集めて断面が円形又は長方形状に集合した光ファイバ心線１の両サイドに断面形状が略円形のテンションメンバー２を配置し、更に支持線３を配置し、これら光ファイバ心線１、テンションメンバー２、及び支持線３が共通のシース４により被覆されて構成されている。
【０００４】
ここで光ファイバ心線１に近いシース４の両側面には、それぞれシース４の切り裂きを容易にするためのノッチ５が形成されている。また支持線３は、光ファイバ心線１、テンションメンバー２とシース４とで構成された光ケーブル本体部６を保持するためのものであり、光ケーブル本体部６とはシース４のクビレ部４'で連結されている。
【０００５】
また、各家庭などの宅内や構内でのとり回しには図１０に示すようなインドア光ケーブル８が使用されている。この光ケーブルは図９に示される光ケーブル7の光ケーブル本体部６と同一構成のもので、支持線３の部分を取り除くことによって構成することも可能である。
【０００６】
一般的にこれらの光ケーブルには、シース４内に上記のようにテンションメンバー２が配置される。このテンションメンバー２は、従来、鋼線が用いられていたが、最近では落雷時のテンションメンバーからのサージ電流の影響を避けるために非金属のものが用いられるようになってきた。
【０００７】
従来、これらの光ケーブルの端部に光コネクタを接続する際には、光ケーブルの端部の被覆層を剥ぎとって、光ファイバ心線を露出させた後、光ファイバ心線ホルダによって前記露出された光ファイバ心線の端部を保持して、光ファイバ心線端部の被覆層を除去したり、被覆層の除去された裸光ファイバを一定長に切断したりする処理が行われていた。（例えば特許文献１〜特許文献５）
【０００８】
即ち、これらの光ファイバ心線ホルダは、図１１に示すように、光ケーブル８のシース４を除去することによって露出された光ファイバ心線１を保持するものである。このため、光ファイバ心線長が少なくとも光ファイバ心線ホルダ９が介在する分の長さＬを残して光ファイバ１の被覆層が除去され、裸光ファイバ１'が露出されることになる。
【０００９】
しかしながら、光ケーブルに直付けが可能な光コネクタの組立を行う場合には、光コネクタのサイズ縮小などのために、光ケーブルのシース除去際から近い位置にて光ファイバ心線の被覆除去や裸光ファイバの切断を行う必要がある。
【００１０】
このような場合、従来の光ファイバ心線ホルダでは、要求される光ケーブルのシース除去際と光ファイバ心線の被覆除去際との間に光ファイバ心線が入りきらず、その間を短く構成することが出来なく、小型の光コネクタを構成することができなかった。
さらに、光ケーブルは概して光ファイバ心線やテープ光ファイバ心線よりも曲げクセが強いために、従来の光ファイバ心線を把持する光ファイバ心線ホルダを用いた場合、作業中に光ファイバ心線ホルダから光ケーブル及び光ファイバ心線が外れてしまう、又は光ケーブルのシース除去際にて光ファイバが破断してしまうなどの課題があった。
【００１１】
そこで、本出願人の一部によって、図１２に示すような光ケーブルホルダを提案されている（特願２００４−３１４３２９）。この光ケーブルホルダ１０は、基盤２０、基盤２０の一面２１に配置される押蓋３０とで構成されている。
【００１２】
押蓋３０が配置される基盤２０の一面２１には、一端２２から他端２３に向う直線２４上に、連続した凹部を有する光ファイバ心線載置部２５と光ケーブル収納部２６とが形成され、光ケーブル収納部２６には光ケーブル収納部２６に配置される図示しない光ケーブルのシースをその両側から挟んで保持する光ケーブル保持部２７が配置されている。
【００１３】
光ケーブル保持部２７は、光ケーブルを光ケーブル収納部２６の全体にわたって配置させても良く、図示のように光ケーブル収納部２６の一部に設置しても良い。後者の場合、光ケーブルの曲がりクセを光ケーブル収納部２６内で矯正し、かつ光ケーブル収納部２６内に設置された光ケーブル保持部２７によって光ケーブルの把持を行うので、光ケーブルの保持強度等をより綿密に行うことができる。これにより、例えば光ケーブルを仮固定した後に、コネクタ組立において要求されるファイバ心線長や被覆除去長を達成するよう光ケーブル位置を微調整することが可能となり、光コネクタ組立等の作業性および精密性を向上させることができる。
【００１４】
基盤２０の一面２１と向き合う押蓋３０は、図示しない蝶番により基盤２０の側面にて回動可能に取り付けられ、基盤２０の一面２１上を覆うことができるようになっている。
基盤２０の一面２１と向き合う押蓋３０の一面３１には、光ファイバ心線押部３２と光ケーブル収納部３３とが形成されており、それぞれは押蓋３０が基盤２０上を覆った際に、光ファイバ心線載置部２５と光ケーブル収納部２６とをそれぞれ覆うように構成され、光ファイバ心線載置部２５で図示しない光ケーブルの光ファイバ心線を保持し、光ケーブル収納部２６と光ケーブル収納部３３とで図示しない光ケーブルのシースを収納できる光ケーブル収納空隙が形成される。
この際、光ファイバ心線載置部２５は、光ケーブルが収納する本数の光ファイバ心線を保持できる構造になっている。
【００１５】
光ケーブル保持部２７は、図１３及び図１４に示すように、光ケーブル収納部２６の一部に形成された幅広スペース部分に光ケーブル収納部２６の底２８からその表面方向に樹立するように一対形成されている。また、一対の光ケーブル保持部２７の間隔は、図１５に示すように、光ケーブル収納部２６に配置される光ケーブル８のシース４の幅よりも若干狭く形成され、一対の光ケーブル保持部２７の間に光ケーブル８が配置された場合に、一対の光ケーブル保持部２７の間隔は互いに押し広げられ、その反作用により光ケーブル８を固定・保持できるようになっている。
【００１６】
このような光ケーブルホルダ１０で光ケーブル８の端部を把持するには、図９図及び図１０に示すシース４、支持線３及びテンションメンバー２などが予め除去されて、一定長の光ファイバ心線１が露出された光ケーブル８が形成され、その後に、この光ケーブル８のシース４部分を前記図１５に示すように光ケーブル収納部２６内に配置し、更に露出された光ファイバ心線１を光ファイバ心線載置部２５に配置し、その後に押蓋３０を閉じて光ケーブル８及び光ファイバ心線1を保持する。その後、図示しない光ファイバ心線被覆除去具や裸光ファイバ切断器のアダプタ収納部に本光ケーブルホルダを配置して、光ファイバ心線の被覆除去や、裸光ファイバの切断が行われる。
【００１７】
【特許文献１】特開平５−２２４０２３号公報
【特許文献２】特開２００１−１３３６５３号公報
【特許文献３】特開２００２−１６２５３０号公報
【特許文献４】特開２００３−１８５８８４号公報
【特許文献５】特開２００４−１４５１９６号公報
【発明の開示】
【発明が解決しようとする課題】
【００１８】
しかしながら、実際の施工現場においては、例えば架空クロージャにおける光コネクタの取り付け作業の場合、幹線（上流）側は光ファイバテープ心線を集合した光ケーブルであり、家庭（下流）側はドロップケーブルであるため、光ファイバテープ心線を単心分離した光ファイバ心線に光コネクタを取り付けことや、ドロップケーブルにコネクタを取り付けることの両方の作業が必要になる。
【００１９】
しかしながら、前記光ケーブルホルダはドロップ光ケーブルの接続作業には好適であるが、幹線側の光ファイバ心線の端末処理を実施しようとすると、光ケーブルホルダには中心軸上に光ファイバ心線よりも太い光ケーブルをセットするための光ケーブル収納部が形成されているため、光ファイバ心線をセットし難いという第１の課題があった。また、光ケーブルホルダはケーブルを把持する構造であるため光ファイバ心線のみの把持力が弱く、心線被覆を除去する際に心線被覆をうまく剥けないという第２の課題もあった。
【課題を解決するための手段】
【００２０】
本発明は、かかる点に鑑みなされたもので、前記光ケーブル収納部を埋めて光ファイバ心線のセットを容易にし、また、光ファイバ心線の把持力を向上させることを目的とし、前記光ケーブルホルダに着脱自在にセット可能な光ファイバ心線ホルダを提供するものである。
その具体的な本発明の構成は、光ケーブル収納部に嵌め込まれる太さの棒状体と、この棒状体上に配置された光ファイバ心線を載置する基台と、この基台の上を覆う押蓋とから構成されていることを特徴とする。
【発明の効果】
【００２１】
本発明の光ファイバ心線ホルダは、光ケーブルホルダにセット可能な構造であるため、光ケーブルの端末を処理するのと同じ治工具（心線被覆用ストリッパ、ファイバカッタ）を用いて、同じ作業感覚で光ファイバ心線の端末処理を行うことができる。
【発明を実施するための最良の形態】
【００２２】
本発明は以下の実施形態を採用することができる。
前記押蓋と基台とが光ファイバ心線ホルダの後端部のみに配置されている。これにより、手で押蓋と基台とをこれらの外側から挟むことで、基台上に配置された光ファイバ心線を押さえ込むことができ、押蓋を基台上に押付けるための磁石等が不要となる。
更に、光ファイバ心線を配置する溝をＶ溝形状ではなく凹形状とし、溝幅を０．５ｍｍ以上、溝深さを０．１５ｍｍ〜０．２ｍｍ、押蓋の光ファイバ心線押さえ面に使用しているゴムの硬度をＨＳ５０以上に設定する。これにより、０．２５ｍｍφの光ファイバ心線と、０．５ｍｍφの光ファイバ心線との両者に適用可能な光ファイバ心線ホルダを提供できる。
【実施例１】
【００２３】
以下本発明を図示した実施例によって本発明を説明する。図１において、４０は本１実施例における光ファイバ心線ホルダであり、この光ファイバ心線ホルダ４０は棒状体４１と、その棒状体４１の端部に搭載される形で棒状体４１と一体に形成された基台４５と、その基台４５の表面を覆う押蓋５０とで構成されている。
【００２４】
棒状体４１は、図１２等に示される光ケーブル収納部２６に嵌め込むことができる太さに形成されている。即ち、光ケーブル収納部２６を構成する底辺、両側壁で囲まれる断面積と略同一の外形寸法に構成されている。基台が配置されていない側の他方の端部には、図示しない光ファイバ心線を棒状体４１の表面に配置しやすいように一対の突起４２が形成されている。
【００２５】
基台４５はその表面に図示しない光ファイバ心線を載置する溝４６が形成されており、その溝４６の両端にはそれぞれ溝４６を挟んで一対の突状体４７が形成され、図示しない光ファイバ心線を溝４６に配置させるときに簡単に配置させることができるようになっている。
【００２６】
押蓋５０は基台４５の一側面に蝶番５２により基台４５の側面にて回動可能に取り付けられ、基台４５に形成された溝４６を覆うことができるようになっている。また蝶番が取り付けられた側面と反対側の基台４５の側面には押蓋５０を被せたときに、その押蓋５０をその側面から押え付けて押蓋５０を基台４５上に保持させておくための保持片４８が形成されている。
【００２７】
基台４５の表面と向き合う押蓋５０の下面には、弾性変形できる板状のゴム材５１が貼り付けられ、押蓋５０が基台４５の溝４６に配置された光ファイバ心線を覆った際に、光ファイバ心線の外径寸法が異なっていても、ゴム材５１が弾性変形して適度の圧力で光ファイバ心線を溝４６内に固定できるようになっている。
【００２８】
次に本実施例の光ファイバ心線ホルダの使用方法を説明する。
先ず初めに、図２に示すように、端末処理を行う光ファイバ心線５５を所定長、突起４２側に突出させた状態で、突起４２間、溝４６の両端に形成された４７間に嵌め込み、棒状体及び基台上に一直線状に配置され（この時、溝上にも配置される）、この状態で押蓋を閉じる。図２は押蓋が閉じられた状態を示している。
【００２９】
次に光ケーブルホルダの光ケーブル収納部２６に本実施例の光ファイバ心線ホルダを嵌め込む。図３は本実施例の光ファイバ心線ホルダを嵌合させるのに適した光ケーブルホルダを示しているが、この図３に示される光ケーブルホルダは図１２に示した光ケーブルホルダと実質的に同一なもので、同一機能部品にはそれぞれ同一の符号を付してある。なお、図３において、２９は基盤２０上に押蓋３０を被せたときに、その押蓋３０をその側面から押え付けて押蓋３０を基盤２０上に保持させておくための保持片であり、また３４は押す蓋３０を基盤２０の側面で回転自在に保持しておくための蝶番である。
【００３０】
次に図４に示すように、図２で示された光ファイバ心線ホルダ４０の棒状体４１を図３に示された光ケーブルホルダ１０の光ケーブル収納部２６に嵌め込む。図２に示された光ファイバ心線ホルダ４０には、陰影が施されている
【００３１】
このようにして光ファイバ心線ホルダ４０を光ケーブルホルダ１０の光ケーブル収納部２６内に嵌め込まれた光ケーブルホルダ１０は、押蓋３０が閉じられて、図示しない光ファイバ心線被覆除去具や裸光ファイバ切断器のアダプタ収納部に配置され、光ファイバ心線の被覆除去や、裸光ファイバの切断が行われる。
【実施例２】
【００３２】
図５は本発明の他の実施例を示すものであり、図２に示された光ファイバ心線ホルダ４０に比較して棒状体４１の先端部４１'が幅広に形成されている。
図６は図５に示す光ファイバ心線ホルダを光ケーブル収納部２６内に嵌め込むのに適した光ケーブルホルダ１０を示したものである。この光ケーブルホルダ１０は図３に示される光ケーブルホルダ１０に比較して、基盤２０の中央部に形成された光ケーブル収納部２６が前記先端部を幅広に形成された棒状体４１を収納できるように幅広の拡大スペース２６'に形成された点が異なっている。
【００３３】
図７は、図５に示された光ファイバ心線ホルダ４０を図６に示された光ケーブルホルダ１０の光ケーブル収納部２６に嵌め込まれた状態を示している。図７は、図５に示された光ファイバ心線ホルダ４０に対して陰影を施して示している。
このように、光ファイバ心線ホルダ４０の棒状体４１の先端部４１'を幅広に形成し、この幅広部分を光ケーブルホルダ１０の拡大スペース２６'に嵌め込ませることにより、光ファイバ心線ホルダ４０を光ケーブルホルダ１０の定まった位置に固定させることができる。
【００３４】
図８は、外径０．２５ｍｍφの光ファイバ心線５６と外径０．５ｍｍφの光ファイバ心線５７とを異なる形状の溝４６に載置した場合の相互光ファイバ心線の高さの差を示したものである。図８(イ)は溝４６の形状がＶ形でそのＶ溝成角が６０度のものを、図８(ロ)は溝４６の形状がＶ形でそのＶ溝成角が９０度のものを、図８(ハ)は溝４６の形状が矩形であるものを示している。これらの図から明らかなように、図８(ハ)に示す溝形状の場合に両者の光ファイバ心線の高さの差が最も少ない。従って、押蓋３０を閉じて光ファイバ心線を溝４６上に抑え付ける際にゴム材５１の弾性変形量を最も少なくできて有利である。このことから溝４６の形状を矩形形状に形成するのが望ましい。
また、この際、溝の幅が０．５ｍｍ以上、且つ溝の深さが０．１５ｍｍ〜０．２ｍｍ、且つゴム材５１の硬度をＨＳ５０以上にするのが望ましい。これにより、０．２５ｍｍφの光ファイバ心線と、０．５ｍｍφの光ファイバ心線との両者に適用可能な光ファイバ心線ホルダを提供することができる。
【図面の簡単な説明】
【００３５】
【図１】本発明の一実施例における光ファイバ心線ホルダを示すもので、イは平面図、ロは右側面図である。
【図２】図１に示す光ファイバ心線ホルダに光ファイバ心線をセットしたときを示すもので、イは平面図、ロは右側面図である。
【図３】図１に示す光ファイバ心線ホルダに適用される光ケーブルホルダを示すもので、イは平面図、ロは右側面図である。
【図４】図２に示す光ファイバ心線ホルダを図３に示す光ケーブルホルダに嵌め込んだ状態を示すもので、イは平面図、ロは右側面図である。
【図５】本発明の他の実施例における光ファイバ心線ホルダを示すもので、イは平面図、ロは右側面図である。
【図６】図５に示す実施例に適用できる光ケーブルホルダを示すもので、イは平面図、ロは右側面図である。
【図７】図６の実施例を図７の光ケーブルに嵌め込んだ状態を示すものであり、イは平面図、ロは右側面図である。
【図８】イ〜ハはそれぞれ本発明における各種溝形状による特性を説明図である。
【図９】一般的なドロップ光ケーブルの一例を示す端面図である。
【図１０】一般的な他の例のドロップ光ケーブルの一例を示す端面図である。
【図１１】従来例における光ファイバ心線ホルダの動作例を示す説明図である。
【図１２】先に提案の光ケーブルホルダの一例を示す斜視図である。
【図１３】図１２に示す光ケーブルホルダの要部構造図である。
【図１４】図１２に示す光ケーブルホルダの要分断面図である。
【図１５】図１２に示す光ケーブルホルダの動作例を示す説明図である。
【符号の説明】
【００３６】
１０    光ケーブルホルダ
２０    基盤
２１    一面
２２    一端
２３    他端
２４    直線
２５    光ファイバ心線載置部
２６    光ケーブル収納部
２６'    拡大スペース
２７    光ケーブル保持部
２８    底
３０    押蓋
３１    一面
３２    光ファイバ心線押部
３３    光ケーブル収納部
４０    光ファイバ心線ホルダ
４１    棒状体
４１'    先端部
４２    突起
４５    基台
４６    溝
４７    突状体
５０    押蓋
５１    ゴム材
５５    光ファイバ心線
５６    光ファイバ心線
５７    光ファイバ心線
【図１】
2007121772.tif 000003
【図２】
2007121772.tif 000004
【図３】
2007121772.tif 000005
【図４】
2007121772.tif 000006
【図５】
2007121772.tif 000007
【図６】
2007121772.tif 000008
【図７】
2007121772.tif 000009
【図８】
2007121772.tif 000010
【図９】
2007121772.tif 000011
【図１０】
2007121772.tif 000012
【図１１】
2007121772.tif 000013
【図１２】
2007121772.tif 000014
【図１３】
2007121772.tif 000015
【図１４】
2007121772.tif 000016
【図１５】
2007121772.tif 000017